(57)【特許請求の範囲】
【請求項１】
所定の長さを持つ直線状の長尺状部、若しくは所定の長さを持つ折り曲げ部を含む屈折状部或いは所定の長さを持つ湾曲状に形成された湾曲状部で構成されている支持部材と、当該支持部材の一方の端部に、所望の方向に指向せしめられた中心軸線を有する所定の長さを持つ直線状の長尺状連結部を介して取り付けられている所望のハンドル部とで構成された本体枠体部と、当該支持部材の他方の端部に設けられた、当該ハンドル部に係合する当該長尺状連結部の中心軸線に対して直交する方向に延展せしめられている、少なくとも一本の支軸部とで構成された清掃装置であって、当該支軸部には、粘着テープがその上に巻積されている粘着テープローラの中心部に設けられた中空状の紙管部を任意に着脱自在に嵌合固定可能に構成された、少なくとも一部が円筒状に構成されている所望の外径を有する補助支持管が正逆方向回転自在に取り付けられている清掃装置に於いて、当該補助支持管に於ける当該本体枠体部側に近接して位置する一方の端部（第１の端部と称する）には、当該補助支持管の中心軸方向に沿って所定の幅を有する平面状の環状円筒部を形成している第１の紙管部端部保持部と当該紙管部端部保持部に於ける自由解放端部の円周縁部に於いて、当該平面状環状円筒部の表面から略垂直方向に所定の高さで設定された第１の環状突起部からなる紙管端縁部位置決め部材とが配備されており、一方、当該補助支持管に於ける当該一方の端部（第１の端部）とは反対側の端部（第２の端部と称する）には、当該補助支持管の中心軸方向に沿って、当該第２の端部から内側に向けて所定の幅を有する平面状の環状円筒部を形成している第２の紙管部端部保持部が配備されており、且つ、当該第２の紙管部端部保持部の当該平面状環状円筒部の少なくとも１部分に於いて、当該補助支持管の中心軸方向と平行する方向に、所定の間隔を介して、互いに平行に所定の長さだけ当該第２の紙管部端部保持部の自由解放端部から当該第２の紙管部端部保持部内部に向けて切り込み形成された２本の溝部が設けられており、然も当該２本の溝部間に形成された片持型舌状部が、当該補助支持管の中心軸線に対して上下方向に可動可能に構成されていると同時に、当該片持型舌状部の当該自由解放端部には、当該自由解放端部の円周縁部に沿って、当該片持型舌状部の表面から略垂直方向に所定の高さで設定された第２の突起部からなる紙管端縁部ストッパー部が配備されており、且つ、当該補助支持管に当該粘着テープローラを嵌合固定した場合に於いては、当該片持型舌状部の解放端部と、当該片持型舌状部を除く当該補助支持管の第２の端部及び当該紙管部の紙管端縁部とは、当該補助支持管の中芯軸線と直交する一つの平面を形成している事を特徴とする手動式清掃装置。
【請求項２】
当該第１の環状突起部及び又は当該第２の突起部の高さは、粘着テープがその上に巻積されている粘着テープローラの中心部に設けられた中空状の当該紙管部の厚みと同一若しくはそれよりも短い長さに設定されている事を特徴とする請求項１記載の手動式清掃装置。
【請求項３】
当該片持型舌状部は、当該補助支持管に於ける、当該第２の紙管部端部保持部の当該平面状環状円筒部の周縁に沿って複数個形成されている事を特徴とする請求項１又は２に記載の手動式清掃装置。
【請求項４】
当該補助支持管に於ける当該第１の紙管部端部保持部に形成されている当該第１の環状突起部の内側壁面部と、当該補助支持管に於ける当該第２の紙管部端部保持部の当該自由解放端部に於いて、当該片持型舌状部の解放端部と、当該片持型舌状部を除く当該第２の紙管部端部とで形成されている、当該補助支持管の中芯軸線と直交する一つの平面との間の距離が、使用される当該粘着テープローラーの中心部に配置されている中空状の紙管の軸方向長さと同一である事を特徴とする請求項１乃至３の何れかに記載の手動式清掃装置。
【請求項５】
所望の厚みを有し、且つ所定の中心軸方向の長さを有する中空状紙管の外表面に、所定の厚みを有するテープ基材と当該テープ基材の一表面上に所望の厚みを持って所望の粘着剤が層状に塗布形成されている粘着テープであって、当該紙管の当該中心軸方向の長さ等しい幅を有する粘着テープが、当該粘着面を上面側となる様に、且つ当該粘着テープの両側の各端縁部が、当該中空状紙管の両端部の位置と一致する様に複数回連続的に巻き上げ積層させた粘着テープローラーであって、当該紙管に於ける当該補助支持管の当該第２の端部と対向する端部の当該自由解放端部とその近傍に於ける少なくとも一部に於いて、当該片持型舌状部の幅方向の長さと近似した幅方向長さを有し、且つ当該片持型舌状部の表面に形成された当該第２の突起部の、当該自由解放端部から当該片持型舌状部内部へ延びる長さに相当する奥行長さを有する切込部が形成されている事を特徴とする請求項１乃至４の何れかに記載の手動式清掃装置に使用される粘着テープローラー。
【請求項６】
当該粘着テープに使用されるテープ基材に於いては、当該切込部が形成されている当該紙管と対応する当該テープ基材の一方の端縁部と、当該テープ基材に於ける、当該補助支持管に設けられている当該第１の環状突起部と対向する当該テープ基材の他方の端縁部から当該一方の端縁部に向けて所定の距離だけ内側に移動した部位との間に形成される領域部分には、所定の粘着剤層が塗布形成されており、当該第１の環状突起部と対向する当該テープ基材の他方の端縁部とそこから所定の距離だけ内側に移動した部位との間に形成された領域部分には当該所定の粘着剤層が塗布形成されていない事を特徴とする請求項５に記載の粘着テープローラー。
【請求項７】
当該粘着テープに於ける当該テープ基材の内、当該粘着剤層が塗布形成されていない領域部分の幅の所定の距離は、当該第１の環状突起部と対向する当該テープ基材の他方の端縁部から内側に向けて５ｍｍ乃至１５ｍｍである事を特徴とする請求項６に記載の粘着テープローラー。
【請求項８】
当該紙管上に複数層巻積形成されている当該粘着テープに於いて、当該補助支持管に設けられている当該第１の環状突起部と対向する側の当該粘着テープ層の最外表面層から当該紙管の表面に到る様に、当該中空紙管の中心軸線と平行する方向に、当該粘着テープに於ける当該第１の環状突起部と対向する側の当該テープ基材の端縁部から内側に向けて、所定の長さの直線状切り込み線を形成した事を特徴とする請求項６又は７に記載の粘着テープローラー。
【請求項９】
当該所定の長さの直線状切り込み線は、当該粘着テープ層の最外表面層から当該紙管の表面に到る様に、且つ当該粘着テープに於ける当該第１の環状突起部と対向する側の当該テープ基材の端縁部から内側に向けて当該粘着剤層が塗布形成されていない領域部分を超える長さに設定されている事を特徴とする請求項８に記載の粘着テープローラー。
【請求項１０】
当該直線状切り込み線は、当該補助支持管の中心軸線に対して所望の角度だけずらせた方向に沿って配置されている事を特徴とする請求項８又は９記載の粘着テープローラー。
【請求項１１】
当該所望の角度は、５度乃至３０度である事を特徴とする請求項１０に記載の粘着テープローラー。
【請求項１２】
補助切り込み線の当該第１の環状突起部と対向する側の端部とは反対側の端部から当該切り込み線の配置方向に沿って、当該直線状切り込み線の長さよりも短い長さを有する直線状の補助切り込み線或いは点状の切り込み部が複数個直線状に間欠的に、且つ当該紙管の他方の端部に対応する当該粘着テープの端部まで至る様に配置された当該粘着テープ切り離しミシン目が形成されている事を特徴とする請求項８乃至１１の何れかに記載の粘着テープローラー。
【請求項１３】
当該直線状の補助切り込み線或いは点状の切り込み部は、当該粘着テープ層の最外表面層から当該紙管の表面に到る様に形成されている事を特徴とする請求項１２に記載の粘着テープローラー。
【請求項１４】
当該直線状切り込み線の左右何れかの側に、近接して、当該直線状切り込み線の長さと同一若しくはそれよりも短い長さを有する直線状の補助切り込み線を、当該補助切り込み線の長軸方向が当該切り込み線の長軸方向と平行する様に、且つ当該補助切り込み線の当該第１の環状突起部と対向する側の端部とは反対側の端部が、当該切り込み線の終端部よりも当該粘着テープの内部領域に向けて突出する様に位置ずれを形成させた状態で配置形成すると共に、相互に同一規格を有する複数個の他の当該補助切り込み線群を、当該切り込み線と当該先の補助切り込み線との配置状態と同一配置状態となる様に、当該先の補助切り込み線の側面にずらせ状に配置し、且つ残りの当該補助切り込み線も同様の配置状態を継続させて配置し、当該最後の補助切り込み線の当該第１の環状突起部と対向する側の端部とは反対側の端部が、当該粘着テープの他方の端部に到達するまで繰り返し形成させ、当該中空紙管の中心軸線対して斜め状態の切り離し線（ミシン目）を形成した事を特徴とする請求項１２に記載の粘着テープローラー。
【請求項１５】
請求項１乃至４の何れかに記載されている手動式清掃装置と請求項５ないし１４の何れかに記載された粘着テープローラーとの組で構成されている事を特徴とする清掃具。
【発明の詳細な説明】
【技術分野】
【０００１】
本発明は、 清掃装置に関すものであり、特に詳しくは、粘着テープを装着したロールを使用し、当該粘着テープの粘着面で芥、塵、塵挨等を吸着しながら清掃作業を実行する手動式清掃装置に関するものである。
【背景技術】
【０００２】
従来から粘着テープを利用して、当該粘着テープの粘着面で毛くず、糸くず、髪の毛、犬や猫等の毛、その他塵、芥、塵挨、砂、砂利微粒子等を吸着しながら清掃作業を実行する清掃装置は知られている。
係る構造を有する従来公知の当該粘着テープを利用した清掃装置は、例えば、特開２０１１−８７６８４号公報（特許文献１）等に開示されている通り、当該粘着テープローラ２を一つだけ装着した構造のものであり、具体的には、当該特許文献１に於ける図１及び図２を示す本願に係る図２及び当該従来例の構成を更に具体的に説明する本願の図３（Ａ）乃至図３（Ｃ）に示す通り、所定の長さを持つ直線状の長尺状部１００、若しくは所定の長さを持つ折り曲げ部１０２を含む屈折状部１０１或いは所定の長さを持つ湾曲状に形成された湾曲状部１０３で構成されている支持部材１０４と、当該支持部材１０４の一方の端部１０５、１０５’、１０５”に、所望の方向に指向せしめられた中心軸線１０６、１０６’を有する所定の長さを持つ直線状の長尺状連結部１０７を介して取り付けられている所望のハンドル部１０８とで構成された本体枠体部１０９と、当該支持部材１０４の他方の端部１１０に設けられた、当該ハンドル部１０８に係合する当該長尺状連結部１０７の中心軸線１０６に対して直交する方向１０６，１０６’に延展せしめられている、少なくとも一本の支軸部１１１とで構成された清掃装置２００であって、当該支軸部１１１には、粘着テープ１１２がその上に巻積されている粘着テープローラ１１３の中心部に設けられた中空状の紙管部１１４を任意に着脱自在に嵌合固定可能に構成された、少なくとも一部が円筒状に構成されている所望の外径を有する補助支持管１１５が正逆方向回転自在に取り付けられている構造を持った清掃装置２００であって、係る従来の清掃装置２００の場合には、当該粘着テープローラ１１３を１回におよそ３６０度回転させながら、更に前後に２〜３回連続的に前後回転を繰り返しながら床上、カーペットの上、その他の平面上を前方に向けて移動させて、当該被清掃面上の、埃、ゴミ、塵埃、土砂等を当該粘着テープ１１２の粘着面に吸着させながら清掃作業が繰り返されるものであるが、ある程度の清掃作業が経過すると、当該粘着テープ１１２の粘着剤層形成面の表面の全面にゴミが吸着されてしまい、当該塵埃等を当該粘着テープ１１２の同一の面には、更に当該塵埃等を吸着させる為の新たな面が少なくなり更に回転させると当該粘着テープ１１２の粘着面には殆ど吸着力がなくなっていた。
【０００３】
その為、当該従来例に於いては、上記粘着テープ１１２に粘着力効果がなくなった場合には、当該粘着テープローラ１１３に於ける自由端部側１３５に形成されている５ｍｍ乃至８ｍｍ程度の幅を有する粘着剤非配置領域１１６に３ｍｍ乃至５ｍｍ程度の長さを有する切り込み部１１８を当該補助支持管１１５の中心軸方向Ｐ１と平行に当該粘着テープローラ１１３の自由端部側１３５からその内部に向けて設けられており、且つ当該切り込み部１１８の端部から更に当該粘着テープローラ１１３の他方の端部１１９に向けて、当該補助支持管１１５の中心軸方向Ｐ１と平行に直線状で間欠的に点状或いは線状の切れ目部１３１で形成された切り離しミシン目１２０が形成されており、当該清掃具の使用者が、当該粘着テープ１１２の所定の表面に於ける塵埃吸着力が低減された場合に、当該粘着テープローラ１１３に於ける自由端部側１３５に形成されている切り込み部１１８を手で持って引き上げ、そのまま引き上げつつ、当該切り込み部１１８に接続されている当該切り離しミシン目１２０に沿って切り離し、当該塵埃が多量に吸着されている当該粘着テープ１１２（当該粘着テープローラ１１３の略一周分の長さに相当する）を取り去り、新規に表出された当該粘着テープローラ１１３の当該粘着テープ１１２を使用して、新たに清掃作業を再開するものである。
【０００４】
然しながら、上記した従来の当該清掃具２００は、殆どのものに於いて、当該切り込み部１１８の長さが短すぎる為、当該塵埃が多量に吸着されている当該粘着テープ１１２を取り去る作業を実行するに際し、指で当該切り込み部１１８の外縁端部を掴み、上方に持ち上げる操作を行うが、当該作業の実行が著しく困難であるため、容易に当該不要となった当該粘着テープ１１２を当該粘着テープローラ１１３から切り離すことが困難であり、当該塵埃が大量に付着した当該粘着テープ１１２の粘着面に作業者の手指が接触せざるを得ず、極めて不衛生であると共に、当該切り込み部１１８に連結されている当該切り離しミシン目１２０が、当該補助支持管１１５の中心軸方向Ｐ１と平行な方向に配置形成されているために、当該切り込み部１１８を指に掴み、上方に持ち上げながら当該ミシン目１２０に沿って、不要部分である当該粘着テープ１１２を切り離そうとしても当該粘着テープ１１２の分離操作は簡単ではなく、当該粘着テープ１１２を容易且つ完全に分離する事が困難であり、何回も切り離し操作を繰り返す必要があり、清掃作業の非効率化を来していた。
【０００５】
一方、上記した従来の当該清掃具２００に於いては、図２及び図３に示す様に、当該粘着テープローラ１１３を当該補助支持管１１５に同軸状態にて嵌合自在に嵌合固定すると同時に、当該支持軸部１１１に対して回転自在に嵌合固定するものであるが、具体的には、当該粘着テープローラ１１３の中心部に位置している所望の内径を有する紙管１１４を介して当該補助支持管１１５の表面部に嵌合固定するに際し、当該紙管１１４の一端部であって、上記した当該粘着テープローラ１１３に於ける端縁部に於いて、所望の幅で粘着剤が形成されていない領域部１１６を有する端部１３２とは異なる他方の端部１３３を先頭にして、当該粘着テープローラ１１３の紙管１１４を、当該支持軸部１１１の自由端部側から当該本体枠体部の第２の端部１１０に向けて嵌合挿入した後、当該紙管１１４の当該挿入方向とは反対側の他端部１３２を当該支持軸部１１１の自由端部側に設けられている適宜の紙管ストッパー部１２５に係合させることにより、当該紙管部１１４を当該支持軸部１１１上に嵌合固定するものであるが、当該紙管ストッパー部１２５は、当該紙管部１１４が当該紙管ストッパー部１２５上を通過している間は、弾発力を利用して、当該紙管１１４の内径部内に変位しているが、一旦当該紙管部１１４が当該紙管ストッパー部１２５上を通過した後は、当該弾発力の回復により、当該紙管ストッパー部１２５が当該紙管１１４の対応する端部１３２に係合して、当該紙管１１４の固定位置を確定するが、その際に、当該紙管ストッパー部１２５の外端部縁部分１２６が当該粘着テープローラー部の端縁部面と当該紙管部の対応する端縁部の面とで形成される当該支持軸部１１１の中心軸線Ｐ１に対して直交する平面１２７よりも外方に突出する事になり、その具体的な例としては、当該紙管ストッパー部１２５の外端部縁部分１２６が、当該平面１２７の表面から外方に突出する長さが当該紙管ストッパー部１２５の厚み（ｄ）だけ、３ｍｍ乃至５ｍｍ突出することになる。
【０００６】
従って、その部分に関しては、当該清掃具の当該粘着テープローラ１１３の端部１２２が、壁際から３ｍｍ乃至５ｍｍだけ離間せしめられる事から、当該離間部分の間に対応する床面の清掃が不可能となるという問題が発生している。
【０００７】
更に、従来の当該清掃具に於いては、当該粘着テープローラ１１３に於ける当該支持軸部１１１の自由端部に対応する部分１２２は、粘着剤層が形成されていない部分領域１１６として、所定の幅、例えば５ｍｍ乃至８ｍｍ程度の幅を持つ粘着剤不存在領域１１６が存在するものであるから、実際には、従来に於ける当該清掃具１００にあっては、壁際から略８ｍｍ乃至１３ｍｍの間の幅で構成される床面領域部分が清掃不可能な状態となっているという極めて重大な欠陥が存在しているものであった。
従って、係る従来の粘着テープを使用した手動式清掃具に於いて上記した多くの技術的課題や問題点を解決する技術がこれまでに求められていた。
【先行技術文献】
【特許文献】
【０００８】
【特許文献１】特開２０１１−８７６８４号公報
【発明の開示】
【発明が解決しようとする課題】
【０００９】
従って、本発明の目的は、当該粘着テープローラーを使用して、当該粘着テープの粘着層面にゴミ、ほこり、毛くず等を含む塵埃類を吸着させて清掃作業を行うに際し、当該清掃装置を適宜の被清掃面上を前後に繰り返し摺動させながら徐々に前方若しくは後方に移動して行くような清掃作業を繰り返し実行する様に構成された当該清掃装置に於いて、簡便な構成でありながら、清掃操作は容易で軽快に且つ短時間に実行出来、当該粘着テープローラーから塵挨等が多量に付着した所定の長さの粘着テープを容易に且つ短時間で切り取り除去する事が可能であり、且つ、壁際部分の隅部に於ける床上等の部分も完全に且つ容易に清掃が出来る事が可能な清掃具を提供するものである。
【課題を解決するための手段】
【００１０】
本発明に係る当該清掃装置は、上記した目的を達成する為に、以下に示す様な基本的技術構成を採用するものである。
即ち、本発明に係る第一の態様である、当該清掃装置に於ける基本的技術構成の態様としては、所定の長さを持つ直線状の長尺状部、若しくは所定の長さを持つ折り曲げ部を含む屈折状部或いは所定の長さを持つ湾曲状に形成された湾曲状部で構成されている支持部材と、当該支持部材の一方の端部に、所望の方向に指向せしめられた中心軸線を有する所定の長さを持つ直線状の長尺状連結部を介して取り付けられている所望のハンドル部とで構成された本体枠体部と、当該支持部材の他方の端部に設けられた、当該ハンドル部に係合する当該長尺状連結部の中心軸線に対して直交する方向Ｐに延展せしめられている、少なくとも一本の支軸部とで構成された清掃装置であって、当該支軸部には、粘着テープがその上に巻積されている粘着テープローラの中心部に設けられた中空状の紙管部を任意に着脱自在に嵌合固定可能に構成された、少なくとも一部が円筒状に構成されている所望の外径を有する補助支持管が正逆方向回転自在に取り付けられている清掃装置に於いて、当該補助支持管に於ける当該本体枠体部側に近接して位置する一方の端部（第１の端部）には、当該補助支持管の中心軸方向Ｐ１に沿って所定の幅を有する平面状の環状円筒部を形成している第１の紙管部端部保持部と当該紙管部端部保持部に於ける自由解放端部の円周縁部に於いて、当該平面状環状円筒部の表面から略垂直方向に所定の高さで設定された第１の環状突起部からなる紙管端縁部位置決め部材とが配備されており、一方、当該補助支持管に於ける当該第１の端部とは反対側の端部（第２の端部と称する）には、当該補助支持管の中心軸方向Ｐ１に沿って所定の幅を有する平面状の環状円筒部を形成している第２の紙管部端部保持部が配備されており、且つ、当該第２の紙管部端部保持部の当該平面状環状円筒部の少なくとも１部分に於いて、当該補助支持管の中心軸方向Ｐ１と平行する方向に、所定の間隔を介して、互いに平行に所定の長さだけ当該第２の紙管部端部保持部の自由解放端部側から当該第２の紙管部端部保持部内部に向けて切り込み形成された２本の溝部が設けられており、然も当該２本の溝部間に形成された片持型舌状部が、当該補助支持管の中心軸線に対して直交する上下方向に可動可能に構成されていると同時に、当該片持型舌状部の当該自由解放端部には、当該自由解放端部の円周縁部に沿って、当該片持型舌状部の表面から略垂直方向に所定の高さで設定された第２の突起部からなる紙管端縁部ストッパー部が配備されており、且つ、当該補助支持管に当該粘着テープローラを嵌合固定した場合に於いては、当該片持型舌状部の解放端部と、当該片持型舌状部を除く当該補助支持管の第２の端部及び当該紙管部の紙管の端縁部とは、当該補助支持管の中芯軸線Ｐ１と直交する一つの平面を形成している事を特徴とする手動式清掃装置１である。
【発明の効果】
【００１１】
本発明に係る当該清掃装置１は、上記したような基本的な技術構成を採用した結果、従来の同種の清掃装置に比べて、簡便な構成でありながら、清掃操作は容易で軽快に実行出来、当該粘着テープローラー１５の装着操作や取外し操作も容易であり、然も、塵埃が多量に付着した当該粘着テープ１４は、当該清掃装置１に於ける本体枠体部１１側に位置する当該粘着テープローラ１５の端部側から剥ぎ取る操作を実施する事になるので、作業者に近接した位置で然も容易且つ迅速に完全に分離する事が可能となり、清掃作業の効率化を実現する事が可能となった。
【００１２】
一方、本発明に係る当該清掃装置１に於いては、当該粘着テープローラ１５の自由端縁部２５は完全な平面形状を形成しているため、当該清掃装置１に於ける当該粘着テープローラ１５の自由端縁部２５を確実に壁際部に沿って走行させることが可能となるので、従来の様に、壁際部の床面を清掃できなかった不便さを改良し、清掃作業を必要とする床面の全てを完全に清掃処理する事が可能となるという優れた作用効果を発揮するものである。
【図面の簡単な説明】
【００１３】
【図１】図１は、本発明に於ける清掃装置の構成の概要を説明する部分断面図である。
【図２】図２は、従来に於ける清掃装置の構成の概要を説明する為の図である。
【図３】図３は、従来に於ける清掃装置の構成の具体的な構成の概要を説明する図である。
【図４】図４は、本発明で使用される補助支持管の構成の一具体例を説明する図である。
【図５】図５は、本発明で使用される紙管部の構成の一具体例を説明する図である。
【図６】図６は、本発明で使用される補助支持管に於ける片持型舌状部と本発明で使用される紙管部に設けられている切込部との構成の具体例と当該両者の係合状態を説明する図である。
【図７】図７は、本発明で使用される当該紙管部に巻積された粘着テープからなる粘着テープローラの構成の１具体例の構成を説明する図である。
【図８】図８は、本発明で使用される当該紙管部に巻積された粘着テープからなる粘着テープローラの構成の１具体例の構成を図７とは異なる方向から見た斜視図である。
【図９】図９（Ａ）は、本発明に係る清掃装置を使用した清掃作業の一例を説明する図であり、図９（Ｂ）は、本発明に係る粘着テープローラの切り離しミシン目の構成例を示す図である。
【発明を実施するための形態】
【００１４】
以下に、本発明に係る当該清掃装置の具体例を、図面を参照しながら詳細に説明する。
即ち、図１は、本発明に係る第１の態様である当該清掃装置１の平面であり、図中、所定の長さを持つ直線状の長尺状部２、若しくは所定の長さを持つ折り曲げ部３を含む屈折状部４或いは所定の長さを持つ湾曲状に形成された湾曲状部５で構成されている支持部材６と、当該支持部材６の一方の端部７に、所望の方向に指向せしめられた中心軸線８を有する所定の長さを持つ直線状の長尺状連結部９を介して取り付けられている所望のハンドル部１０とで構成された本体枠体部１１と、当該支持部材６の他方の端部１２に設けられた、当該ハンドル部１０に係合する当該長尺状連結部９の中心軸線８に対して直交する方向Ｐ１に延展せしめられている、少なくとも一本の支軸部１３とで構成された清掃装置１であって、当該支軸部１３には、粘着テープ１４がその上に巻積されている粘着テープローラ１５の中心部に設けられた中空状の紙管部１６を任意に着脱自在に嵌合固定可能に構成された、少なくとも一部が円筒状に構成されている所望の外径を有する補助支持管１７が正逆方向回転自在に取り付けられている清掃装置１に於いて、当該補助支持管１７に於ける当該本体枠体部１１側に近接して位置する一方の端部（第１の端部と称する）１８には、当該補助支持管１７の中心軸方向Ｐ１に沿って所定の幅を有する平面状の環状円筒部１９を形成している第１の紙管部端部保持部２０と当該第１の紙管部端部保持部２０に於ける自由解放端部２１の円周縁部２２に於いて、当該平面状環状円筒部１９の表面から略垂直方向に所定の高さで設定された第１の環状突起部２３からなる紙管端縁部位置決め部材２４とが配備されており、一方、当該補助支持管１７に於ける当該第１の端部１８とは反対側の端部（第２の端部と称する）２５には、当該補助支持管１７の中心軸方向Ｐ１に沿って、当該第２の端部から内側に向けて所定の幅を有する平面状の環状円筒部２６を形成している第２の紙管部端部保持部２７が配備されており、且つ、当該第２の紙管部端部保持部２７の当該平面状環状円筒部２６の少なくとも１部分に於いて、当該補助支持管１７の中心軸方向Ｐ１と平行する方向に、所定の間隔を介して、互いに平行に所定の長さだけ当該第２の紙管部端部保持部２７の自由解放端部（第２の端部）側２５から当該第２の紙管部端部保持部２７内部に向けて切り込み形成された２本の溝部２８が設けられており、然も当該２本の溝部２８間に形成された片持型舌状部２９が、当該補助支持管１７の中心軸線Ｐ１に対して直交する方向に上下方向に可動可能に構成されていると同時に、当該片持型舌状部２９の当該自由解放端部３０には、当該自由解放端部３０の円周縁部に沿って、当該片持型舌状部２９の表面から略垂直方向に所定の高さで設定された第２の突起部３１からなる紙管端縁部ストッパー部３２が配備されており、且つ、当該補助支持管１７に当該粘着テープローラ１５を嵌合固定した場合に於いては、当該片持型舌状部２９の解放端部３０と、当該片持型舌状部２９を除く当該補助支持管１７の第２の端部２５及び当該紙管部１６の紙管の端縁部４１とは、当該補助支持管１７の中芯軸線Ｐ１と直交する一つの平面Ｓ１を形成している事を特徴とする手動式清掃装置１が示されている。
【００１５】
本発明に係る当該清掃装置１の基本的な構成は、図２等に示されている従来の清掃装置の構成と略同一ではあるが、細部の特異点部分に於いて従来の清掃装置とは構成を異にしているものである。
処で、本発明に係る当該清掃装置１に於ける当該本体枠体部１１及び当該支軸部１３は、適宜の金属材料或いは合成樹脂材料で構成されている事が望ましく、又、当該ハンドル部１０は、適宜の合成樹脂材料或いはゴム系材料で構成されている事が望ましい。
一方、本発明に係る当該清掃装置１の補助支持管１７は主として合成樹脂材料で構成されている事が望ましく、更には、当該補助支持管１７に於ける両端縁部分である当該第１の平面状環状円筒部１９と当該第２の平面状環状円筒部２６を除く中間部分５０の構造は、中空状の筒状円筒体で構成されたものであっても良く、或いは、上記した従来例である特許文献１に開示されている様な、複数個の仕切り板とそれを保持する支持板とを組み合わせて構成したものであっても良い。
【００１６】
更に、本発明に係る当該清掃装置１の補助支持管１７の長さ及びその断面に於ける直径は特に限定されるものではなく、従来に於ける当該清掃装置の形状や寸法に近似させる事は可能である。
又、本発明に係る当該清掃装置１で使用される当該粘着テープ１４を含む当該粘着テープローラ１５もその形状や大きさ等は特に限定されるものではなく、従来に於ける当該清掃装置に使用されている当該粘着テープローラ１５と同じか或いはそれに近似した形状や大きさのものを使用する事が可能である。
更に、本発明に於いて使用される当該粘着テープローラ１５に於いては、当該当該紙管部１６の両側端部の端縁部と当該紙管部１６に巻き積されて形成されている粘着テープ群の両側端部の端縁部で構成されている側壁面とは、当該紙管部１６の中心軸線に対して直交する同一平面上に配置されているものである。
但し、本発明に係る当該清掃装置１で使用される当該粘着テープ１４を搭載する当該紙管部１６の当該支軸部１３の自由解放端４５に近接する側の解放端部４１の近傍部には、後述する当該補助支持管１７の解放端部２５に設けられている片持型舌状部２９の当該紙管端縁部ストッパー部３２を嵌合させる為の切込部４０が設けられている事が望ましい具体例である。
【００１７】
本発明に係る当該清掃装置１で使用される当該補助支持管１７の構成の概要は図４に示されている通り、当該補助支持管１７に於ける当該本体枠体部１１側に近接して位置する一方の端部である第１の端部１８には、当該補助支持管１７の中心軸方向Ｐ１に沿って所定の幅を有する平面状の環状円筒部１９が形成されており、当該環状円筒部１９の幅は特に限定されるものではないが、１０ｍｍ乃至１５ｍｍ程度である事が好ましく、又、当該環状円筒部１９の幅は、当該補助支持管１７の中心軸方向Ｐ１に沿って、後述する第２の第２の紙管部端部保持部２７にまで連続的に延展されているものであっても良い。
一方、当該紙管部端部保持部２０に於ける自由解放端部２１の円周縁部２２に於いて、当該平面状環状円筒部１９の表面から略垂直方向に所定の高さで設定された第１の環状突起部２３からなる紙管端縁部位置決め部材２４とが配備されており、当該第１の環状突起部２３の高さは、粘着テープ１４がその上に巻積されている粘着テープローラ−１５の中心部に設けられた中空状の当該紙管部１６の厚みと同一若しくはそれよりも短い長さに設定されている事が好ましい具体例である。
【００１８】
更に、本発明に於ける当該清掃装置１に於ける当該補助支持管１７に於いては、当該一方の端部である当該第１の端部１８とは反対側の端部である当該第２の端部２５には、当該補助支持管１７の中心軸方向Ｐ１に沿って所定の幅を有する平面状の環状円筒部２６を形成している第２の紙管部端部保持部２７が配備されており、当該第２の紙管部端部保持部２７の幅も特に限定されるものでは無いが、一般的には、２５ｍｍ乃至３５ｍｍであることが好ましい。
【００１９】
又、図４（Ａ）及び図５に示す通り、本発明に於ける当該清掃装置１に於ける当該第２の紙管部端部保持部２７の当該平面状環状円筒部２６の少なくとも１部分に於いて、当該補助支持管１７の中心軸方向Ｐ１と平行する方向に、所定の間隔を介して、互いに平行に所定の長さだけ当該第２の紙管部端部保持部２７の自由解放端部側２５から当該第２の紙管部端部保持部２７内部に向けて切り込み形成された２本の溝部２８が設けられており、然も当該２本の溝部２８間に形成された片持型舌状部２９が、図４（Ｂ）に示す通り、当該補助支持管１７の中心軸線Ｐ１に対して、構成材料の弾発性に基づいて、上下方向に可動可能に構成されており、且つ、当該片持型舌状部２９の当該自由解放端部３０には、当該自由解放端部３０の円周縁部に沿って、当該片持型舌状部２９の表面から略垂直方向に所定の高さで設定された第２の突起部３１からなる紙管端縁部ストッパー部３２が配備されている事が望ましい具体例の一つである。
【００２０】
そして、当該第２の突起部３１、つまり当該紙管端縁部ストッパー部３２の高さは、粘着テープ１４がその上に巻積されている粘着テープロー１５の中心部に設けられた中空状の当該紙管部１７の厚みと同一若しくはそれよりも短い長さに設定されている事が好ましい具体例である。
又、本発明に於ける当該片持型舌状部２９を形成する当該補助支持管１７の中心軸方向Ｐ１の方向に沿って相互に平行状に形成されている２つの溝部２８は、その幅及び当該溝部２８の当該補助支持管１７に於ける中心軸方向Ｐ１の方向に沿った長さｗ等は特に限定されるものでは無いが、例えば当該長さｗは、１０ｍｍ乃至２０ｍｍである事が望ましい具体例である。
【００２１】
一方、当該２つの溝部２８に於ける相互間隔ｔも特に特定されるものでは無いが、例えば、その湾曲面に沿って１０ｍｍ乃至２０ｍｍである事が望ましい具体例である。
尚、本発明に於ける当該補助支持管１７に於ける当該自由解放端部側２５に於いては、上記した当該片持型舌状部２９の解放端部３０の縁部に沿って当該紙管端縁部ストッパー部３２が設けられているが、その他の当該補助支持管１７に於ける当該自由解放端部側２５には、一切の紙管端縁部ストッパー部３２に相当する突起部は設けられていない事が望ましい具体例である。
そして、本発明に於ける当該補助支持管１７に於ける当該紙管端縁部ストッパー部３２の上端部頂点部は、当該粘着テープローラ１５の当該紙管を嵌合させていない状態にあっては、常時、当該第２の紙管部端部保持部２７の表面から突出している状態に維持されているものであっても良い。
【００２２】
尚、本発明に於いては、当該片持型舌状部２９は、少なくとも一つを設けることで効果的ではあるが、場合によっては、当該補助支持管１７に於ける、当該第２の紙管部端部保持部２７の当該平面状環状円筒部２７の周縁に沿って２個或いはそれ以上の複数個形成する事も可能であることは言うまでもない。
【００２３】
次に、本発明に於ける当該清掃装置１に於いて使用される当該紙管部１６の構成に付いて好ましい具体例を図５を参照しながら説明する。
即ち、本発明に於いて使用刺される当該紙管部１６は、従来一般的に使用されている中空状の紙管を使用するものであって、その材料や長さ或いはその中空部の内径等は特に限定されるものでは無く、使用される当該清掃装置１の規格に適合して物を優先的に使用するものである。
従って、特に当該中空状紙管部１６の内径の長さは、当該清掃装置１に於ける当該補助支持管１７の外径の長さと略同一であることが望ましい。
【００２４】
そして、本発明に於ける当該清掃装置１に於いて使用される当該紙管部１６にあっては、その使用時に、当該補助支持管１７於ける当該本体枠体部１１側に近接して位置する一方の端部である第１の端部１８に近接して配置される側の第１紙管端部４４と、その反対側で、当該補助支持管１７に於ける当該第２の紙管部端部保持部２７の近傍に位置することになる側の第２紙管端部４１と有し、特に、当該第２紙管端部４１の円周縁部４１の少なくとも一部には、上記した当該紙管端縁部ストッパー部３２が嵌合係止される当該切込部４０が形成されているものである。
本発明に於ける当該切込部４０の幅方向の長さＴは、上記した当該紙管端縁部ストッパー部３２の幅方向の長さtと同一か若しくは若干長く設定されており、一方、当該切込部４０の奥行部の長さＬは、当該紙管端縁部ストッパー部３２の奥行方向の長さｌ（エル）と同一か若しくは若干長く設定されて事が望ましい具体例である。
【００２５】
そして、本発明に於いては、連続状の当該粘着テープ１４を複数回、巻積して構成された当該粘着テープローラ１５を本発明に於ける当該清掃装置１の当該補助支持管１７に嵌合させて搭載固定するに際しては、当該紙管部１６に於ける中空状筒状体部の当該第１紙管端部４４側から当該紙管部１６を当該補助支持管１７の自由端部２５側から挿入嵌合させ、当該第１紙管端部４４が当該補助支持管１７於ける当該第１の端部１８に到着するまでの間に於いては、当該紙管部１６の中空状内壁面部が当該紙管端縁部ストッパー部３２に於ける頂点部を下方に押し下げる機能を実行することになり、当該第１紙管端部４４が当該補助支持管１７於ける当該第１の端部１８に到着した時点に於いて、当該片持型舌状部２９のストッパー部３２の突起状部分３１が、当該紙管部１６の第２の紙管端部４１に設けられている当該切込部４０内に、それ自身の弾発力に付勢されて入り込み、当該紙管部１６の脱落を完全に防止する事になる。
その状態を図６（Ａ）乃至図６（Ｄ）に示す。
尚、本発明に於ける実際の清掃作業に有っては、当該補助支持管１７に当該粘着テープローラ１５の紙管１６を完全に挿入嵌合させた後、作業者が一方の手で当該補助支持管１７を押さて固定した状態の下で、当該作業者が他方の手で、当該粘着テープローラ１５を適宜回転させながら、当該ストッパー部３２の突起状部分３１が、当該紙管部１６の第２の紙管端部４１に設けられている当該切込部４０内に嵌合する迄摺動させる事によって、当該粘着テープローラ１５の当該補助支持管１７への装着が完了する。
【００２６】
つまり、本発明に於いては、係る構成を採用した結果、上記した通り、当該補助支持管１７に当該粘着テープローラ１５を嵌合固定した場合に於いては、当該片持型舌状部２９の解放端部３０と、当該片持型舌状部２９を除く当該補助支持管１７の第２の端部２５及び当該紙管部１６の紙管の端縁部４１とは、当該補助支持管１７の中芯軸線Ｐ１と直交する一つの平面Ｓ１を形成している事になるのである。
【００２７】
換言すれば、本発明に於いては、当該粘着テープローラ１５を本発明に係る当該清掃装置１に装着した場合に於いて、当該粘着テープローラ１５の全ての粘着テープ１４の端縁部面で形成される側壁面部と、当該紙管部１６の紙管の端縁部４１の端縁部面と当該補助支持管１７に於ける当該自由解放端部側２５の端縁部面並びに当該片持型舌状部２９の舌状部の解放端部３０の端縁部面とが同一平面Ｓ１を形成することになり、その平面Ｓ１には一切の突起物も存在しない状態が形成される事になる。
つまり、本発明に於いては、当該補助支持管１７に於ける当該第１の紙管部端部保持部２０に形成されている当該第１の環状突起部２３の内側壁面部と、当該補助支持管１７に於ける当該第２の紙管部端部保持部２７の当該自由解放端部２５に於いて、当該片持型舌状部２９の解放端部３０と、当該片持型舌状部２９を除く当該第２の紙管部端部２５とで形成されている、当該補助支持管の中芯軸線Ｐ１と直交する一つの平面Ｓ１との間の距離が、使用される当該粘着テープローラー１５の中心部に配置されている中空状の紙管１６の軸方向長さと同一である様に構成されているものである。
【００２８】
本発明に係る当該紙管部１６を使用した粘着テープローラ１５の外観形状の１具体例が図７に示されている。
本発明に於いては、当該紙管部１６の端縁部４１の端面に沿って、当該連続した粘着テープ１４を、当該粘着テープ１４の一端部の端縁部４６が、当該紙管部１６の端縁部４１の端面と一致する様に巻き上げることにより、当該紙管部１６の端縁部４１の端面と当該粘着テープ１４の端縁部４６により形成される端面とが完全に一致して一つの平面を形成するものである。
係る構成は、当該紙管部１６の他方の端縁部４４の端面に於いても同じ構成のなっている事は言うまでも無い。
本発明に於いては、上記した構成からなる清掃装置１であるため、図９（Ａ）に示す様に、当該粘着テープローラ１５の解放端部４６の平面を完全に、壁際部に近接させることが可能となるので、従来、清掃作業が不可能であった当該壁際部４００の床面を完全に清掃する事が可能となる。
尚、本発明に於いては、清掃作業の途中に於いて、当該粘着テープローラ１５の粘着テープ１４を全て使用しきった場合には、当該紙管部１６の外表面には、  当該粘着テープ１４は存在していないので、作業者は、当該紙管部１６の端部にある当該切込部４０内に嵌入されている当該ストッパー部３２を手で押し下げて、当該紙管部１６を当該補助支持管１７から容易に取り外しする事が可能である。
【００２９】
その為に、本発明に於いては、図７及び図８に示す通り、当該粘着テープローラ１５を構成する各層の粘着テープ１４に於いては、従来の粘着テープ１４では当該粘着テープ１４の解放端部４６の端縁部からその内側部に向けて所定の幅をもった帯状領域に粘着剤塗布しない非粘着剤塗布領域を形成しているのに対し、本発明に係る当該粘着テープローラ１５では、その様な非粘着剤塗布領域を設けることなく、当該粘着テープ１４の解放端部４６の端縁部からその内側部に向けて所定の幅をもった帯状領域にも所望の粘着剤を塗布形成するものである。
これによって、当該粘着テープローラ１５の解放端部でも塵埃を吸着する事が可能となり、壁際部の清掃作業も効率化する事が可能となる。
【００３０】
然しながら、その反面、当該粘着テープローラ１５の解放端部でも塵埃を大量に吸着する為、汚れが激しく、この部分で、当該粘着テープ１４を切り離し操作する事は、著しく不衛生であり、且つ剥ぎ取り操作も困難な状況となる。
その為、本発明に於いては、図７（Ｃ）に示す様に、当該紙管部１６に於ける当該第１の紙管端縁部４４に対応する当該粘着テープローラ１５の端縁部４９側に対応する、当該粘着テープ１４に於ける端部４９’から所定の幅をもって構成された領域に粘着剤を塗布しない粘着剤不存在領域４７を形成し、且つ、図７（Ａ）及び図７（Ｂ）に示す通り、当該粘着剤不存在領域４７に、当該粘着テープ１４を切り離しする為の切り離し線部４８を当該粘着テープローラ１５の表面から当該紙管部１６の表面に至るまで形成するものである。
本発明に於ける当該粘着剤不存在領域４７の幅は、５ｍｍ乃至１５ｍｍとする事が望ましい具体例である。
【００３１】
然も、本発明に於いては、当該切り離し線部４８は、従来に於いては、３ｍｍ乃至５ｍｍ程度であり、当該不要となった粘着テープ１４の端を持ち上げて切り離しする場合の操作が極めて不便であり、切り離し操作も時間がかかり清掃作業の非効率化が目立っていたのに対し、本発明に於いては、当該切り離し線部４８の当該補助支持管１７に於ける当該中心軸方向Ｐ１と平行な方向への長さは５ｍｍ乃至１５ｍｍとに設定する事が望ましく、更には、当該切り離し線部４８の当該長さは、当該粘着剤不存在領域４７の幅を超えて当該粘着剤塗布領域６２内にまで延長されるものであっても良い。
【００３２】
つまり、本発明に於ける当該紙管部１６上に複数層巻積形成されている当該粘着テープ１４に於いては、当該補助支持管１７に設けられている当該第１の環状突起部２３と対向する側の当該粘着テープ層の最外表面層から当該紙管部１６の表面に到る様に、当該中空紙管部１６の中心軸線Ｐ１と平行する方向に、当該粘着テープ１４に於ける当該第１の環状突起部２３と対向する当該テープ基材６０の端縁部４９’から内側に向けて、つまり、当該テープ基材６０の他方の端縁部４６’に向けて所定の長さＵの直線状切り込み線４８を形成したものである事が望ましい具体例である。
【００３３】
即ち、図７（Ｃ）に示す通り、本発明に於ける当該清掃装置１に於いては、当該粘着テープ１４に使用されるテープ基材６０に於いては、当該切込部４０が形成されている当該紙管部１６と対応する当該テープ基材６０の一方の端縁部４６’と、当該端縁部４６’から所定の距離だけ内側に移動した部位との間に形成される領域部分６２には、所定の粘着剤層６１が塗布形成されており、一方、当該テープ基材６０に於ける、当該補助支持管１７に設けられている当該第１の環状突起部２３と対向する当該テープ基材６０の他方の端縁部４９’とそこから所定の距離だけ内側に移動した部位との間に形成された領域部分４７には当該所定の粘着剤層６１が塗布形成されていない様な構成が採用される事が望ましい具体例である。
【００３４】
換言するならば、本発明に係る当該清掃装置１に使用される当該粘着テープローラ１５の具体的な構成の一例としては、所望の厚みを有し、且つ所定の中心軸方向の長さを有する中空状紙管部１６の外表面に、当該紙管部１６の当該中心軸方向Ｐ１の長さと等しい幅を有する粘着テープ１４が粘着面を上面側となる様に、且つ当該粘着テープ１４の両側の各端縁部４９’、４６’が、当該中空状紙管部１６の両端部の位置４４、４１とそれぞれ一致する様に複数回連続的に巻き上げ積層させた粘着テープローラー１５であって、当該紙管部１６に於ける当該補助支持管１７の当該第２の紙管部端部保持部２７と対向する端部の当該自由解放端部４１とその近傍に於ける少なくとも一部に於いて、当該片持型舌状部２９の幅方向の長さｔと近似した幅方向長さＴを有し、且つ当該片持型舌状部２９の表面に形成された当該第２の突起部３１の、当該自由解放端部３０から当該片持型舌状部内部２９へ延びる長さｌ（エル）に相当する奥行長さＬを有する切込部４０が形成されている事が望ましい具体例の一つである。
【００３５】
此処で、本発明に於いて、上記した様に、当該粘着テープ１４に於いては、図７（Ｃ）に示す様に、当該粘着テープ１４を構成するテープ基材部６０の一方の表面に適宜の粘着剤からなる粘着剤層６１を所望の厚みに調整して塗布形成した粘着剤形成層６２を形成するものであるが、当該テープ基材部６０の当該補助支持管１７に於ける当該第１の環状突起部２３と対向する側の端部４９’と当該端部４９’から所定の長さだけ当該テープ基材部６０の他方の端部４６’方向に移動した部位５５間の領域には、当該粘着剤層６１を形成しない領域であるである粘着剤層不形成領域４７を形成する事が望ましい具体例である。
そして、この部分に上記した従来のものよりも長い長さ（Ｕ）を持った切り離し線４８を設けるものである。
【００３６】
即ち、本発明に於いては、当該紙管部１６上に複数層巻積形成されている当該粘着テープ１４に於いて、当該補助支持管１７に設けられている当該第１の環状突起部２３と対向する側の当該粘着テープ層１４の最外表面層から当該紙管部１６の表面に到る様に、当該中空紙管１６の中心軸線Ｐ１と平行する方向に、且つ、当該粘着テープ１４に於ける当該第１の環状突起部２３と対向する当該テープ基材６０の他方の端縁部４９’から内側に向けて当該粘着剤層６１が塗布形成されていない領域部分４７を超える長さの直線状切り込み線４８を形成した粘着テープローラー１５である事も望ましい具体例である。
【００３７】
又、本発明に於ける当該粘着テープローラ１５に於いては、図９（Ｂ）に示す様に、当該紙管部１６の中心軸線Ｐ１と平行に配置されている当該直線状切り込み線４８に連続して、図３に示す従来例の様に当該直線状切り込み線４８の長手軸方向に沿って、直列状に、複数個の間欠的に点状或いは線状の切れ目部１３０で形成された切り離しミシン目８２（ａ）を当該粘着テープローラ１５の他方の端部４６まで形成しているものであっても良く、更には、図７（Ａ）に示す様に、本発明に於ける当該粘着テープローラ１５に於いては、当該粘着テープローラ１５の一方の端部４９から当該粘着剤層不形成領域４７を超えて形成された、当該紙管部１６の中心軸線Ｐ１と平行に配置された当該直線状の切り込み線４８に於ける、当該一方の端部４９とは反対側に於ける端部５０の一方の側面部に、当該直線状切り込み線４８の配置方向と平行、或いは複数個の点状穴部が所定の長さ（ｕ）の間に直列状に配列されて形成された直線状補助切れ目部７１の一方の先端部分７１８が、当該直線状切り込み線４８の当該端部５０よりも当該粘着テープローラ１５に於ける当該他方の端部４６の方向側に突出してずれた状態で配置される様に配置されていると同時に、当該補助切れ目部７１と略同一の構成を有する他の補助切れ目部７２が、当該補助切れ目部７１と平行状態で、且つ当該他の補助切れ目部７２に於ける当該粘着テープローラ１５の当該他方の端部４６側の端部７２８が、当該補助切れ目部７１に於ける当該粘着テープローラ１５の当該他方の端部４６側の端部７１８よりも、当該粘着テープローラ１５に於ける当該他方の端部４６の方向側に突出して配置される様に平行にずらせて配置されており、以下、同様の構成の下に、複数個の当該補助切れ目部（７３、７４、・・・・７Ｘ）が継続的に配置され当該当該補助切れ目部（７３、７４、・・・・７Ｘの）内の最後の当該補助切れ目部７Ｘが当該粘着テープローラ１５に於ける当該他方の端部４６にまで到達するまで、繰り返し配置され、結局の処、当該粘着テープローラ１５の当該所望の表面に、当該粘着テープ用紙管部１６の中心軸線Ｐ１に対して所望の角度を持って斜め状に形成された、当該根粘着テープ１４のはぎ取り用ミシン目８２が形成されたものであっても良い。
本発明に於ける当該直線状切り込み線４８と当該補助切れ目部７１との配列間隔やずれの長さ（重複している長さ）、或いは、当該補助切れ目部（７１、７３、７４、・・・・７Ｘ）相互間の配列間隔やずれの長さ（重複している長さ）は特に限定されるものではないが、例えば配列間隔が１ｍｍ乃至２ｍｍであり、当該補助切れ目部相互間の当該ずれの長さは（重複している長さ）は、２ｍｍ乃至５ｍｍであり、又当該個々の補助切れ目部７１の長さは５ｍｍ乃至１０ｍｍである事が望ましい具体例である。
【００３８】
即ち、本発明に於いては、当該直線状切り込み線４８の左右何れかの側に、近接して、当該直線状切り込み線４８の長さと同一若しくはそれよりも短い長さ（Ｕ）を有する直線状の補助切り込み線７１を当該補助切り込み線７１の長軸方向が当該切り込み線４８の長軸方向と平行する様に、且つ当該補助切り込み線７１の当該第１の環状突起部２３と対向する側の端部４９とは反対側の端部７１７が、当該切り込み線４８の終端部５０よりも当該粘着テープ１４の内部領域に向けて突出する様に位置ずれを形成させた状態で形成すると共に、相互に同一規格を有する複数個の当該補助切り込み線７２、７３・・・・・７Ｘを、当該切り込み線４８と当該補助切り込み線７１との配置状態と同一配置状態を継続させて、当該最後の補助切り込み線７Ｘの当該第１の環状突起部２３と対向する側の端部とは反対側の端部７Ｘ８が、当該粘着テープ１４の他方の端部４６に到達するまで繰り返し形成させ、当該中空紙管１６の中心軸線Ｐ１対して斜め状態の切り離し線（ミシン目）８２を形成した構成を採用する事も望ましい具体例である。
尚、当該助切り込み線７２、７３・・・・・７Ｘも、当該粘着テープ層１４の最外表面層から当該紙管部１６の表面に到る様に、略垂直状に貫通設定されている事が好ましい具体例である。
一方、本発明に於ける当該粘着テープローラ１５に於ける更に別の具体例に於いては、図９（Ｂ）に示すミシン目８２（ｂ）やミシン目８２（ｃ）の様に、当該直線状切り込み線４８を頭書から、当該中空紙管１６の中心軸線Ｐ１に対して所望の角度を有する様に配置形成するものであり、当該所望の角度は特に限定されないが、例えば、５度乃至３０度の間の角度の中から適宜選択して使用する事になる。
更に、本具体例では、当該中空紙管１６の中心軸線Ｐ１に対して所定の角度を以て配置された当該直線状切り込み線４８の当該一方の端部５０から連続して点状或いは短い線状の切り込み部が、当該直線状切り込み線４８の長手軸方向にそって当該粘着テープローラ１５の解放端部に到る迄、間歇的に直列状に配置され図９（Ｂ）のミシン目８２（ｂ）を形成したものであっても良く、或いは、図７（Ａ）に於ける当該ミシン目８２を、当該中空紙管１６の中心軸線Ｐ１に対して所定の角度を以て回転させた状態で配置した図９（Ｂ）のミシン目８２（ｃ）を形成したものであっても良い。
【００３９】
此処で、本発明に係る第２の態様である手動式清掃装置に使用される粘着テープローラーに付いてその構成を説明するならば、本発明に係る当該粘着テープローラー１５は、所望の厚みを有し、且つ所定の中心軸方向Ｐ１の長さを有する中空状紙管１６の外表面に、所定の厚みを有するテープ基材６０と当該テープ基材６０の一表面上に所望の厚みを持って所望の粘着剤が層状６１に塗布形成されている粘着テープ１４であって、当該紙管１６の当該中心軸方向Ｐ１の長さ等しい幅を有する粘着テープ14が、当該粘着面を上面側となる様に、且つ当該粘着テープ14の両側の各端縁部４６’、４９’が、当該中空状紙管１６の両端部の位置４４、４１と一致する様に複数回連続的に巻き上げ積層させた粘着テープローラー１５であって、当該紙管１６に於ける当該補助支持管１７の当該第２の端部２５と対向する端部４１の当該自由解放端部とその近傍に於ける少なくとも一部に於いて、当該片持型舌状部２９の幅方向の長さｔと近似した幅方向長さＴを有し、且つ当該片持型舌状部２９の表面に形成された当該第２の突起部３１の、当該自由解放端部から当該片持型舌状部２９内部へ延びる長さｌ（エル）に相当する奥行長さＬを有する切込部４０が形成されている事が望ましい具体例である。
【００４０】
本発明に於いて、当該粘着テープ１４に使用されるテープ基材６０に於いては、当該切込部４０が形成されている当該紙管１６と対応する当該テープ基材６０の一方の端縁部４６’と、当該テープ基材６０に於ける、当該補助支持管１７に設けられている当該第１の環状突起部２３と対向する当該テープ基材６０の他方の端縁部４９’から当該一方の端縁部４６’に向けて所定の距離だけ内側に移動した部位との間に形成される領域部分６２には、所定の粘着剤層６１が塗布形成されており、当該第１の環状突起部２３と対向する当該テープ基材６０の他方の端縁部４９’とそこから所定の距離だけ内側に移動した部位との間に形成された領域部分４７には当該所定の粘着剤層６１が塗布形成されていない事も好ましい具体例である。
【００４１】
又、本発明に於いては、当該粘着テープ１４に於ける当該テープ基材６０の内、当該粘着剤層６１が塗布形成されていない領域部分４７の幅の所定の距離は、当該第１の環状突起部２３と対向する当該テープ基材６０の他方の端縁部４９’から内側に向けて５ｍｍ乃至１５ｍｍである事も望ましい具体例である。
【００４２】
一方、本発明に於いては、当該紙管１６上に複数層巻積形成されている当該粘着テープ１４に於いて、当該補助支持管１７に設けられている当該第１の環状突起部２３と対向する側の当該粘着テープ１４層の最外表面層から当該紙管１６の表面に到る様に、当該中空紙管１６の中心軸線Ｐ１と平行する方向に、当該粘着テープ１４に於ける当該第１の環状突起部２３と対向する側の当該テープ基材６０の端縁部４９’から内側に向けて、所定の長さの直線状切り込み線４８を形成した構成を採用する事も望ましい具体例である。
【００４３】
更に、本発明に於ける、当該所定の長さの直線状切り込み線４８は、当該粘着テープ層１４の最外表面層から当該紙管１６の表面に到る様に、且つ当該粘着テープ１４に於ける当該第１の環状突起部２３と対向する側の当該テープ基材６０の端縁部４９’から内側に向けて当該粘着剤層６２が塗布形成されていない領域部分４７を超える長さに設定されている事も好ましい具体例である。
【００４４】
処で、本発明に於ける当該粘着テープローラー１５に於いては、当該直線状切り込み線４８は、当該補助支持管１７の中心軸線Ｐ１に対して平行に配置されていても良いが、当該補助支持管１７の中心軸線Ｐ１に対して所望の角度だけずらせた方向に沿って配置されているものであっても良い。
係る具体例に於いては、当該所望の角度は、特に限定されるものではないが、例えば、５度乃至３０度の範囲で選択されるものである事が好ましい具体例である。
【００４５】
一方、本発明に於いては、当該粘着テープローラー１５に於ける当該補助切り込み線４８の当該第１の環状突起部２３と対向する側の端部とは反対側の端部８０から当該切り込み線４８の配置方向、即ち、当該切り込み線４８の長手軸方向に沿って、当該直線状切り込み線４８の長さよりも短い長さを有する直線状の補助切り込み線７１或いは点状の切り込み部１３０が複数個直線状に間欠的に、且つ当該紙管１６の他方の端部４１に対応する当該粘着テープ１４の端部４６’にまで至る様に配置された当該粘着テープ切り離しミシン目１２０が形成されている事も好ましい具体例である。
更に、本発明に於いては、当該直線状の補助切り込み線７１或いは点状の切り込み部１３０は、当該粘着テープ層の最外表面層から当該紙管１６の表面に到る様に形成されている事も望ましい具体例である。
【００４６】
一方、本発明に於いては、当該直線状切り込み線４８の左右何れかの側に、近接して、当該直線状切り込み線４８の長さと同一若しくはそれよりも短い長さを有する直線状の補助切り込み線７１を、当該補助切り込み線７１の長軸方向が当該切り込み線４８の長軸方向と平行する様に、且つ当該補助切り込み線７１の当該第１の環状突起部２３と対向する側の端部とは反対側の端部７１８が、当該切り込み線４８の終端部８０よりも当該粘着テープ１４の内部領域に向けて突出する様に位置ずれを形成させた状態で配置形成すると共に、相互に同一規格を有する複数個の他の当該補助切り込み線群（７２・・・・７Ｘ）を、当該切り込み線４８と当該先の補助切り込み線７１との配置状態と同一配置状態となる様に、当該先の補助切り込み線７１の側面にずらせ状に配置し、且つ残りの当該補助切り込み線（７３・・・・７Ｘ）も上記と同様の配置状態を継続させて配置し、当該最後の補助切り込み線７Ｘの当該第１の環状突起部２３と対向する側の端部とは反対側の端部７Ｘ８が、当該粘着テープ１４の他方の端部４９’に到達するまで繰り返し形成させ、当該中空紙管１６の中心軸線Ｐ１対して斜め状態の切り離し線（ミシン目）１２０を形成した構成を採用することも望ましい具体例である。
【００４７】
更に、本発明に於いては、当該清掃装置１に於ける当該支軸部１３に回転自在に嵌合している当該補助支持管１７に、上記した当該粘着テープローラ１５を挿入固定して使用するものであるが、当該粘着テープローラ１５を当該補助支持管１７に嵌合挿入させる際には、当該粘着テープローラ１５の挿入方向を一定の条件とする必要が有り、具体的には、当該粘着テープローラ１５に於ける当該紙管部１６の上記した一方の端部４４で、当該端部４４に当該切込部４０が設けられていない側の端部４４を当該本体枠体部１１の方に向けて当該補助支持管１７に当該紙管部１６を挿入嵌合させる必要がある。
【００４８】
その為に、例えば、図７に例示されている様に、当該紙管部１６の当該端部４４の周縁部若しくは当該端部４４の周縁部と当該粘着テープローラ１５に於ける当該本体枠体部１１の方に指向されている粘着テープ１４層の端部壁面の少なくとも何れかに、当該挿入方向を示す表示部７０を設けておく事が望ましい具体例である。
その場合の一例としては、例えば、当該紙管部１６の当該端部４４の周縁部の少なくとも一部に目立つ色からなるカラーマーク７０を付ける事も望ましい具体例である。
【００４９】
処で、本発明に係る当該清掃装置１を市場に於いて流通させる場合には、当該ハンドル部１０と当該本体枠体部１１及び当該支軸部１３に回転自在に嵌合固定されている当該補助支持管１７とからなる基材部分と当該所定の紙管部１６に所望の粘着テープ１４を巻積させた当該粘着テープローラ１５とを別々の個体として販売する事が可能であるが、当該基材部分と当該粘着テープローラ１５とを一緒に組み合わせてセットとして販売する事も可能である。
つまり、本発明に於ける当該清掃装置１の他の好ましい具体例としては、当該基材部分と当該粘着テープローラーとの組で構成されているものである。
【符号の説明】
【００５０】
１  清掃装置
２  直線状の長尺状部
３  折り曲げ部
４  屈折状部
５  湾曲状部
６  支持部材
７  支持部材の一方の端部
８  長尺状連結部９の中心軸線
９  直線状の長尺状連結部
１０  ハンドル部
１１  本体枠体部
１２  支持部材の他方の端部
１３  支軸部
１４  粘着テープ
１５  粘着テープローラ
１６  中空状の紙管部
１７  補助支持管
１８  補助支持管に於ける一方の端部（第１の端部）
１９  環状円筒部
２０  第１の紙管部端部保持部
２１  紙管部端部保持部２０に於ける自由解放端部
２２  円周縁部
２３  第１の環状突起部
２４  紙管端縁部位置決め部材
２５  補助支持管の解放端部（第２の端部）
２６  平面状の環状円筒部
２７  第２の紙管部端部保持部
２８  溝部
２９  片持型舌状部
３０  片持型舌状部の当該自由解放端部
３１  第２の突起部
３２  紙管端縁部ストッパー部
４０  切込部
４１  第２紙管端部
４４  第１紙管端部
４５  支軸部１３の自由解放端
４６  粘着テープローラの解放端部
４６’テープ基材の一方の端縁部
４７  粘着剤不存在領域
４８  切り込み線
４９  粘着テープローラの端縁部
４９’テープ基材の他方の端縁部
５０  補助支持管１７に於ける中間部分
６０  テープ基材
６１  粘着剤層
６２  粘着剤層形成領域部分
７０  カラーマーク
７１、７２・・・・７Ｘ  補助切れ目部
５０’直線状の切り込み線に於ける、一方の端部とは反対側に於ける端部
８２  はぎ取り用ミシン目
１００  長尺状部
１０２  折り曲げ部
１０１  屈折状部
１０３  湾曲状部
１０４  支持部材
１０５、１０５’、１０５”  支持部材の一方の端部
１０６、１０６’  中心軸線
１０７  長尺状連結部  
１０８  ハンドル部
１０９  本体枠体部
１１１  支軸部
１１２  粘着テープ
１１３  粘着テープローラ
１１４  中空状の紙管部
１１５  補助支持管
１１６  粘着剤非配置領域
１１８  切り込み部
１１９  粘着テープローラの他方の端部
１２０  切り離しミシン目
１２２  粘着テープローラの端部
１２５  ストッパー部
１２６  ストッパー部の外端縁部
１２７  中心軸線と直交する平面
１３０  点状或いは線状の切れ目部
１３１  点状或いは線状の切れ目部
１３２  紙管部の端部
１３５  粘着テープローラの自由端部側
２００  清掃装置
４００  壁際部
Ｐ１  補助支持管の中心軸方向
Ｓ１  中芯軸線Ｐ１と直交する一つの平面
【要約】
【課題】  簡便な構成でありながら、清掃操作は容易で軽快に実行出来、清掃作業中に粘着テープローラーから塵埃の付着した粘着テープを容易にはぎ取ることが可能であり、且つ壁際の清掃作業が効率的に実行出来る清掃装置を提供する。
【解決手段】  粘着テープローラーの紙管部１６の一方の端部に切込部４０を設け、この中に補助支持管１７の一方の端部に設けた紙管端縁部ストッパー部３２を係合させて、当該粘着テープローラー端部側面を完全平面状に形成し、且つ当該粘着テープローラーの当該紙管部１６に於ける当該切込部４０が設けられている端部に対応する側とは反対側の端縁部に存在する粘着テープの端部に粘着剤層不存在領域を設け、当該粘着剤層不存在領域に切り込み線４８を形成した清掃装置。
【選択図】図１【図１】
0006741851.tif 000002
【図２】
0006741851.tif 000003
【図３】
0006741851.tif 000004
【図４】
0006741851.tif 000005
【図５】
0006741851.tif 000006
【図６】
0006741851.tif 000007
【図７】
0006741851.tif 000008
【図８】
0006741851.tif 000009
【図９】
0006741851.tif 000010